(57)【要約】【課題】親指の動きを妨げずに、自由に動かすことのできるゴルフ手袋を提供する【解決手段】手袋本体１の親指袋開口６の縁に、親指を収容する親指袋２が縫着されてなるゴルフ手袋であって、親指袋開口６の手平側開口縁６ａを、中指と薬指との間のラインＬ１の延長線上、またはそれよりも小指側の位置まで達するように形成する。この構成により、手袋着用時には、親指の母指球の全てが手袋本体１の親指袋開口６から突出するので、親指を手袋本体１によって阻害されることなく自由に動かすことができる。【選択図】図１
2007325612.tif 000002
【特許請求の範囲】
【請求項１】
手袋本体の親指袋開口縁に、親指を収容する親指袋が縫着されてなるゴルフ手袋であって、前記親指袋開口の手平側開口縁は、中指と薬指との間のラインＬ１の延長線上、またはそれよりも小指側の位置まで達するように形成されたことを特徴とするゴルフ手袋。
【請求項２】
手袋本体は、人差し指袋、中指袋、薬指袋及び小指袋を有し、各指袋は、手平側を覆う裁断片と手甲側を覆う裁断片との一方又は両方の側面に、マチとなる裁断片を介在させることにより形成され、該マチは、第２関節部分又は第１関節から第２関節にかけての部分で最大幅となるように形成されたことを特徴とする請求項１記載のゴルフ袋。
【請求項３】
前記マチは、指先から第２関節部分にかけて徐々に幅広となり、第２関節部分から付け根にかけて徐々に幅狭となるように形成されたことを特徴とする請求項２のゴルフ袋。
【発明の詳細な説明】
【技術分野】
【０００１】
本発明は、ゴルフ手袋に関する。
【背景技術】
【０００２】
一般に、ゴルフクラブを握るとき、親指以外の４本の指でグリップの下側から握って、親指をグリップの上側に添え、両手を親指側にひねるようにしながら力強く握るようにしている。このとき、滑り止めとして、あるいはボールを打ったときに手に伝わる衝撃を緩和するためにゴルフ手袋を着用することが多く、通常、右利きの人は左手に、左利きの人は右手にゴルフ手袋を着用している。
【０００３】
図６は従来のゴルフ手袋の展開図であって、（ａ）は手甲側部及び手平側部の裁断片の平面図、（ｂ）は指袋のマチの裁断片の平面図、（ｃ）は親指袋の裁断片の平面図である。従来のゴルフ手袋は、一般に、手甲側部３、手平側部４及びマチ５をそれぞれ縫製してなる手袋本体に、楕円形の開口（親指袋開口）６を開け、この開口６の縁に親指を収容する親指袋(図示せず)を縫合することにより構成される。このような技術思想は、例えば、特許文献１に開示されている。
【特許文献１】特開２００５−１４４０６５号公報
【発明の開示】
【発明が解決しようとする課題】
【０００４】
しかしながら、従来のゴルフ手袋では、親指袋開口６の手平側開口縁６ａが、人差し指と中指との間のラインの延長線上付近にまでしか達しておらず、中指と薬指との間のラインＬ１の延長線上にまでは達していなかった。そのため、手袋着用時に、手平側において親指の母指球の全体を親指袋開口６から突出させることができず、親指が窮屈なものとなってしまった。
【０００５】
本発明は、親指の動きを妨げずに、自由に動かすことできるゴルフ手袋を提供することを目的とする。
【課題を解決するための手段】
【０００６】
上記目的を達成するため、本発明は、手袋本体の親指袋開口縁に、親指を収容する親指袋が縫着されてなるゴルフ手袋であって、親指袋開口の手平側開口縁は、中指と薬指との間のラインＬ１の延長線上、またはそれよりも小指側の位置まで達するように形成されたことを特徴とするゴルフ手袋である。
【０００７】
上記のように、親指袋開口を中指と薬指との間のラインＬ１の延長線上かそれよりも小指側まで大きく開口させることにより、親指の母指球の全てを手袋本体から突出させることができる。したがって、親指の動きが手袋本体によって阻害されず、親指を違和感無く自由に動かすことができる。
【０００８】
また、手袋本体は、人差し指を覆う人差し指袋、中指を覆う中指袋、薬指を覆う薬指袋、及び小指を覆う小指袋を有し、各指袋を、手平側を覆う裁断片と、手甲側を覆う裁断片と、両裁断片の一方又は両方の側面にマチとして配される裁断片とから構成し、マチは、第２関節部分又は第１関節から第２関節にかけての部分で最大幅となるように形成するのが好ましい。
【０００９】
ここで、従来のゴルフ手袋におけるマチは、第１間接部分及び第２関節部分における動きを確保するために、図６（ｂ）に示すように、指先から指の付け根側に向けて徐々に幅広となる形状に形成されていた。この形状によると、第１間接部分及び第２関節部分における動きを確保することはできるが、指の付け根付近ではだぶつきが生じてしまい、適度なフィット感を得られなかった。そこで、本願発明は、上記のように、マチを第２関節部分、又は第１関節から第２関節にかけての部分で最大幅となるように形成することにより、これらの部分における指の動きを確保することができると同時に、指の付け根において適度なフィット感を得ることが可能となる。具体的な例としては、マチは、指先から第２関節部分、又は第１関節から第２関節にかけての部分に向かって徐々に幅広となり、その部分から指の付け根にかけて徐々に幅狭となるように形成すればよい。
【発明の効果】
【００１０】
本発明によると、親指袋開口の手平側開口縁を中指と薬指との間のラインＬ１の延長線上かそれよりも手甲側にまで開口させたので、親指の母指球の全てを手袋本体から突出させることができる。したがって、親指の動きが手袋本体により阻害されず、親指を違和感無く自由に動かすことができる。
【発明を実施するための最良の形態】
【００１１】
以下、本発明の実施形態を図面に基づいて説明する。図１は本発明のゴルフ手袋を手平側から見た図、図２は同じくゴルフ手袋を手甲側から見た図、図３はＡ−Ａ断面図、図４は同じくゴルフ手袋の展開図であって、（ａ）は手甲側部及び手平側部の裁断片の平面図、（ｂ）はマチの裁断片の平面図、（ｃ）は親指袋の裁断片の平面図である。なお、図４（ａ）及び（ｂ）の図中のアルファベットａ〜ｆは、それぞれ手袋本体と親指袋との間で対応する縫着部分を示す。なお、図面に示すゴルフ手袋は左手用であるが、これが右手用であっても実質的な差異はない。
【００１２】
本ゴルフ手袋は、手袋本体１と、親指及びその付け根付近を覆う親指袋２とから構成される。詳細には、本ゴルフ手袋は、通常のゴルフ手袋と同様に、皮革や合成皮革など種々の生地が手袋本体１及び親指袋２に裁断され、これらの裁断片が手袋形状に縫合されて形成される。
【００１３】
手袋本体１は、手甲側を覆う手甲側部３と、手平側を覆う手平側部４と、後述する指袋のマチ５とから構成される。手甲側部３と手平側部４とは小指側で連続する１枚のシート状に裁断されるが、人差し指側で連続させるようにしてもよいし、図５に示すように、それぞれを独立させた形態としてもよい。手甲側部３及び手平側部４は、親指袋２を取り付けるための親指袋開口６を除いて、人差し指側端部同士で縫合される。
【００１４】
手甲側部３及び手平側部４は、手甲部分３ａ及び手平部分４ａの指先側に、親指以外の指に相当するそれぞれ四つの指部分３ｂ〜３ｅ、４ｂ〜４ｅが突出した形状とされる。
【００１５】
各指部分３ｂ〜３ｅ、４ｂ〜４ｅの一方又は両方の側面には、指の厚さに相当するマチ５ｂ〜５ｅが介在されて縫合されることにより、各指袋が形成される。詳しくは、人差し指部分３ｂ、４ｂの中指側にはマチ５ｂが介在され、中指部分３ｃ、４ｃの人差し指側にはマチ５ｃ１が介在され、中指部分３ｃ、４ｃの薬指側にはマチ５ｃ２が介在され、薬指部分３ｄ、４ｄの中指側にはマチ５ｄ１が介在され、薬指部分３ｄ、４ｄの小指側にはマチ５ｄ２が介在され、小指部分３ｅ、４ｅの薬指側にはマチ５ｅが介在される。
【００１６】
マチ５は、図４に示すように、指先側から第２関節部分５ｆまで徐々に幅広に形成されると共に、第２関節部分５ｆから指の付け根にかけて幅狭になるように形成される。また、マチ５は、その手甲側縁が直線状とされ、手平側縁が第２関節部分５ｆを頂点とする山状に形成されるが、手平側縁を直線状とし、手甲側縁を第２関節部分５ｆを頂点とする山状に形成してもよいし、両者を山状として略菱形形状に形成してもよい。この構成によると、マチが第２関節部分５ｆにおいて最大幅となっているいので、第２関節における動きを妨げることない。また、指の付け根にかけて幅狭となっているので、指の付け根における適度なフィット感を得ることができる。
【００１７】
また、手平側部４の人差し指部分４ｂには、手甲側へ大きく湾曲して突出した延設部４ｆが延設される。これとは反対に、手甲側部３の人差し指部分３ｂは、延設部４ｆに対応するように内側へ切り欠き形成される。この構成により、延設部４ｆが人差し指の側面を覆うので、グリップ時において、手平側部４の人差し指部分２ｂの縫い目が人差し指のグリップ接触面に当たらないですむ。したがって、グリップ時に人差し指が痛くなりにくい。
【００１８】
また、手甲部分３ａには、その人差指側から親指袋開口６へ突出するように垂れ片３ｆが延設される。この垂れ片３ｆは、親指と人差指との谷間に位置する。グリップ時に、親指袋２の縫合部分が親指に当たるのを防止できる。また、手甲部分３ａの手首側には、着脱用の切れ目７と、着用後に切れ目７を閉じるための面ファスナーバンド８とが設けられている。
【００１９】
親指袋開口６は、手の平側から手の甲側へ拡がるように湾曲して開口する。すなわち、親指袋開口６の手平側開口縁６ａは、中指と薬指との間のラインＬ１の延長線上よりも小指側の位置まで達するように形成される。この構成によれば、母指球の全体を親指袋開口６から突出させることができるので、親指を自由に動かすことができる。なお、「母指球」とは、手の平側の親指の付け根の膨らんだ隆起部分のことである。
【００２０】
また、親指袋開口６の手甲側開口縁６ｂは、手袋本体１の人差し指側面中心ラインＬ２の延長線上か、またはそれよりも手甲側の位置まで達するように形成される。このような構成とすることにより、親指の第１中手骨の付け根から上方の全てが手袋本体１から突出することができる。したがって、親指の動きが手袋本体１により阻害されず、親指を違和感無く自由に動かすことができる。なお、「人差し指側面中心ライン」とは、人差し指の親指側の側面において、指の厚みの中間を通るラインである。「第１中手骨」とは、親指の中手骨のことであって、親指の付け根下から手首側に伸びる骨のことである。この第１中手骨の付け根（底）を基にして、親指を前後左右に大きく動かすことができるのである。
【００２１】
親指袋２は、図４（ｃ）に示すように、親指袋開口６の開口縁に沿うように形成される。親指袋２は、それ自体が袋状に縫合され、手平側部４の親指袋開口６の縁に、その開口縁が縫合される。このような構成により、親指袋２は、手の平側において指先から母指球にかけて覆うと共に、手の甲側において指先から第１中手骨の付け根にかけて覆う。なお、親指袋２を、親指の指先まで覆う形態としたが、指先をカットした形態としてもよい。
【００２２】
また、手平側部４の母指球と指部分４ｂ〜４eとの間、特に、母指球と指部分４ｂ〜４ｄとの間の領域Ｓにはたるみが発生しやすい。そこで、この領域Ｓに対応する親指袋開口６の手平側開口縁６ａ及び親指袋２をそれぞれ裁断片内側に向けて湾曲させる（図４中のＳ１及びＳ２）。すなわち、手平側開口縁６ａは指部分４ｂ〜４ｅ側に湾曲させる。このような構成とすることにより、領域Ｓでのたるみを防止でき、手の平面へよりフィットさせることができる。
【００２３】
以上の構成によると、親指の母指球の全てが手袋本体１から突出し、それを親指袋２で覆うので、親指の動きが手袋本体１により阻害されずにすむ。したがって、親指を違和感無く自由に動かすことができる。
【図面の簡単な説明】
【００２４】
【図１】本発明のゴルフ手袋を手平側から見た図
【図２】同じくゴルフ手袋を手甲側から見た図
【図３】Ａ−Ａ断面図
【図４】同じくゴルフ手袋の展開図であって、（ａ）は手甲側部及び手平側部の裁断片の平面図、（ｂ）はマチの裁断片の平面図、（ｃ）は親指袋の裁断片の平面図
【図５】他の実施形態のゴルフ手袋の手甲側部及び手平側部の裁断片の平面図
【図６】従来のゴルフ手袋の展開図であって、（ａ）は手甲側部及び手平側部の裁断片の平面図、（ｂ）は指袋のマチの裁断片の平面図、（ｃ）は親指袋の裁断片の平面図
【符号の説明】
【００２５】
１    手袋本体
２    親指袋
３    手甲側部
３ａ  手甲部分
４    手平側部
４ａ  手平部分
５    マチ
５ｆ  第２関節部分
６    親指袋開口
６ａ  手平側開口縁
Ｌ１  中指と薬指との間のライン
【図１】
2007325612.tif 000003
【図２】
2007325612.tif 000004
【図３】
2007325612.tif 000005
【図４】
2007325612.tif 000006
【図５】
2007325612.tif 000007
【図６】
2007325612.tif 000008